(57)【要約】【課題】  整備・清掃が容易で、且つパチンコ台への取付けが容易なパチンコ台の吸い殻回収装置を提供することである。【解決手段】  吸い殻回収装置１は、パチンコ台２が組み付けられた基台３の下縁４付近に沿って配置され内部に搬送手段６を配した中空部材５と、中空部材５の上面の平坦部７に形成された複数の吸い殻投入孔８と、中空部材５の長手方向の一端側には吸い殻回収容器９が配置されている。中空部材５は、軽金属であるアルミニウム合金を押出形成したもので、上下方向に二分割し係止自在な上半部なるレール本体10と、下半部なるレールカバー11とからなる。レール本体10は下方を開口し両側に半円状円弧部が形成され、この半円状円弧部の上部に上方に向けて幅大となる傾斜部を突設され、一方の傾斜部には断面形状をＬ型に形成された溝が外側に突設されている。レールカバー11は上方を開口した半円状に形成されている。【選択図】図１
0003116471.tif 000002
【実用新案登録請求の範囲】
【請求項１】
複数台のパチンコ台の下縁付近に沿って配置された中空部材と、前記中空部材内に配置され、前記中空部材の一端側に配置された吸い殻回収容器まで吸い殻を搬送する搬送手段とを備えたパチンコ台の吸い殻回収装置において、
前記中空部材は、上下方向に二分割に構成された上半部と下半部とを有し、前記上半部の上部に平坦部を形成し、前記平坦部に吸い殻投入孔を形成したことを特徴とするパチンコ台の吸い殻回収装置。
【請求項２】
前記上半部は下方を開口し両側に半円状円弧部が形成され、この半円状円弧部の上部に上方に向けて幅大となる傾斜部を突設すると共に、該傾斜部の上部に前記平坦部を水平に設け、前記下半部は上方を開口した半円状に形成されたことを特徴とした請求項１記載のパチンコ台の吸い殻回収装置。
【請求項３】
前記上半部の下端と前記下半部の上端は係止することを特徴とする請求項２記載のパチンコ台の吸い殻回収装置。
【請求項４】
前記傾斜部の外側に、前記中空部材の長手方向に沿って溝を一体に設けたことを特徴とする請求項２又は３記載のパチンコ台の吸い殻回収装置。
【請求項５】
前記溝は、前記上半部と離間して設けられる縦向き部の下部に接続される横向き部の先端を前記傾斜部の外周に接続すると共に、内側に電気コードを収容することを特徴とした請求項４に記載のパチンコ台の吸い殻回収装置。
【請求項６】
前記縦向き部は前記上半部の最大幅箇所よりも内側に配置されたことを特徴とする請求項５に記載のパチンコ台の吸い殻回収装置。
【請求項７】
前記溝の断面形状をＬ型に形成したことを特徴とする請求項４〜６のいずれか１項に記載のパチンコ台の吸い殻回収装置。
【請求項８】
前記中空部材は、軽金属材料から形成されることを特徴とする請求項１〜７のいずれか１項に記載のパチンコ台の吸い殻回収装置。
【考案の詳細な説明】
【技術分野】
【０００１】
本考案は、パチンコ台やスロット台等の遊技機についている灰皿上のタバコの吸い殻を処分するためのパチンコ台の吸い殻回収装置に関するものである。
【背景技術】
【０００２】
従来、吸い殻落下通路を有し各パチンコ台に対応してそれぞれ配設された複数の灰皿と、これらの灰皿の吸い殻落下通路の下方に配設された集塵樋と、該集塵樋内に配設された、駆動シャフト側のみが支持されたスクリューシャフトと、該スクリューシャフトの先端下方に配設された集塵箱とから成るパチンコ台に付設する煙草の吸殻回収装置がある（特許文献１）。
【特許文献１】実用新案登録第３０６７８２７号公報
【考案の開示】
【考案が解決しようとする課題】
【０００３】
しかし、この集塵樋では、内部に配設されたスクリュシャフトの整備や清掃、集塵樋自体の内部の清掃では、一度集塵樋内部からスクリュシャフトを外す必要があり、整備・清掃の作業時間に加え、取付け・取外しにも時間がかかるという問題点があった。
【０００４】
また、パチンコ台の灰皿の吸い殻落下通路に対応した孔（吸い殻投入部）を加工する場合に、中空部材である集塵樋を下縁の灰皿の孔への位置決めをした後、吸い殻投入部の孔の加工をしていたが、位置決め時の集塵樋の操作がうまく行われない場合が生じる問題点があった。
【０００５】
解決しようとする問題点は、整備・清掃が容易で、且つパチンコ台への取付けが容易なパチンコ台の吸い殻回収装置を提供することである。
【課題を解決するための手段】
【０００６】
請求項１の考案は、複数台のパチンコ台の下縁付近に沿って配置された中空部材と、前記中空部材内に配置され、前記中空部材の一端側に配置された吸い殻回収容器まで吸い殻を搬送する搬送手段とを備えたパチンコ台の吸い殻回収装置において、
前記中空部材は、上下方向に二分割に構成された上半部と下半部とを有し、前記上半部の上部に平坦部を形成し、前記平坦部に吸い殻投入孔を形成したことである。
【０００７】
請求項２の考案は、前記上半部は下方を開口し両側に半円状円弧部が形成され、この半円状円弧部の上部に上方に向けて幅大となる傾斜部を突設すると共に、該傾斜部の上部に前記平坦部を水平に設け、前記下半部は上方を開口した半円状に形成されたことである。
【０００８】
請求項３の考案は、前記上半部の下端と前記下半部の上端は係止することである。
【０００９】
請求項４の考案は、前記傾斜部の外側に、前記中空部材の長手方向に沿って溝を一体に設けたことである。
【００１０】
請求項５の考案は、前記溝は、前記上半部と離間して設けられる縦向き部の下部に接続される横向き部の先端を前記傾斜部の外周に接続すると共に、内側に電気コードを収容することである。
【００１１】
請求項６の考案は、前記縦向き部は前記上半部の最大幅箇所よりも内側に配置されたことである。
【００１２】
請求項７の考案は、前記溝は、断面形状をＬ型に形成したことである。
【００１３】
請求項８の考案は、前記中空部材は、軽金属材料から形成されることである。
【考案の効果】
【００１４】
請求項１の考案によれば、中空部材を上下に分割可能な構造にすることで、中空部材の下縁への設置を容易にし、吸い殻回収装置１の整備・清掃も容易にすることができる。
【００１５】
また、パチンコ台の下縁への中空部材の設置の際に、吸い殻投入部の加工を上半部の上面部分の平坦部に施すことにより、下縁に配された灰皿に対応した吸い殻投入部の加工用位置決めを、中空部材の一部である上半部のみの操作・加工で済ますことができるため、加工作業を容易にし、効率的に中空部材をパチンコ台の下縁に設置できる。
【００１６】
請求項２の考案によれば、中空部材をこのような形状にすることで、中空部材をパチンコ台の下縁への取り付け側である上部の平坦部と、内部でスクリュシャフトを回動自在にする空間とを主とした必要最小限の形状にすることで、パチンコ台の下縁への設置スペースを抑えることができ、傾斜部を有した断面形状にすることで、長手方向の撓みを防ぎ、パチンコ台の下縁への位置決め・設置を容易にすることができる。
【００１７】
請求項３の考案によれば、前記上半部の下端と前記下半部の上端とが係止自在であるから、吸い殻回収装置の設置の際、先にパチンコ台の下縁に取付けられた上半部へ、下半部を取付可能にすることで、設置作業を容易にすることができる。同様に、整備・清掃の際の作業も容易にすることができる。
【００１８】
請求項４の考案によれば、前記傾斜部の外側に、前記中空部材の長手方向に沿って溝を一体に設けたことにより、吸い殻回収装置の配線を溝に収納でき、配線のスペースを別途に設ける必要がなく、吸い殻回収装置の設置スペースを抑えることができる。また、上半部に配線を収納することにより、吸い殻回収装置の設置・整備・清掃時の下半部の脱着時に下半部への配線の干渉を防ぎ、下半部の脱着作業を容易にすることができる。
【００１９】
請求項５の考案によれば、前記溝を縦向き部と横向き部から形成したことにより、配線の収納を行い易くすることができる。
【００２０】
請求項６の考案によれば、縦向き部を上半部の最大幅箇所より内側に配置したことにより、配線の収納スペースの幅方向への増大を防ぎ、吸い殻回収装置の設置スペースを抑えることができる。
【００２１】
請求項７の考案によれば、前記溝の、断面形状をＬ型に形成したことにより、配線を容易に収納し易く、又収納された配線を離脱し難くすることができる。
【００２２】
請求項８の記載によれば、中空部材を軽金属から形成することにより、中空部材の軽量化が図られ、パチンコ台の下縁への設置作業を容易なものとすると共に、その後の下半部の脱着作業も容易とすることができる。
【考案を実施するための最良の形態】
【００２３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２４】
図１乃至４は実施例１を示しており、図１に示すように、１は全体として本考案の吸い殻回収装置を示し、この吸い殻回収装置１は、パチンコ台２が組み付けられた基台３の下縁４付近に沿って配置された中空部材５と、この中空部材５内に配置された搬送手段６と、中空部材５の上面の平坦部７に設けられて、その平坦部７を上下にを貫通して中空部材５内に連通する複数の吸い殻投入孔８と、中空部材５の長手方向の一端側には吸い殻回収容器９が配置されている。
【００２５】
前記中空部材５は、軽金属であるアルミニウム合金を押出形成したもので、上下方向に二分割された上半部なるレール本体10と、下半部なるレールカバー11とからなる。
【００２６】
前記レール本体10は、図４に示すように、下方を開口し両側に半円状円弧部12が形成され、この半円状円弧部12の上部に上方に向けて幅大となる傾斜部13を突設されている。傾斜部13の上部には前記平坦部７が水平に設けられ、その平坦部７にはレール本体10の長手方向に一定の間隔をあけ、貫通孔なる吸い殻投入孔８が連設されている。レール本体10の下方における半円状円弧部12には、断面形状をＬ型に形成された係止部14が外側に突設されている。レール本体10の一方の傾斜部13には、溝15が外側に突設されている。
【００２７】
前記溝15は、前記レール本体10の傾斜部13と離間して設けられる縦向き部16と、縦向き部16の下部に接続され先端を前記傾斜部13の外周に接続した横向き部17と、からなる断面形状をＬ型にしたもので、上方を開口している。図４に示すようにレール本体10の最大幅箇所Ｍより内側に縦向き部16は形成されている。
【００２８】
前記レールカバー11は、上方を開口した半円状に形成しており、その開口された上端18は、レール本体10の下端の半円状円弧部12と係止部14との接続箇所に形成されている段部19に係止自在に形成されている。
【００２９】
前記中空部材５を形成したレール本体10とレールカバー11は、連結部材なるバンド20が脱着自在に形成されている。
【００３０】
前記バンド20は、図４に示すように、板体を上方を開口した半円状に形成されている。バンド20の一端は、内側に断面コ字状に屈折形成された鉤部21が形成され、他端には内側に屈折された折り曲げ部22と、さらに先端側には貫通孔23が形成されている。
【００３１】
次に、前記搬送手段６については、レール本体10とレールカバー11からなる中空部材５の内部で回動自在な大きさ（図４参照）を有した螺旋羽根24を一体に形成したスクリュシャフト25をレール本体10の長手方向の距離に対応した分だけ備えている。スクリュシャフト25の一端側には、スクリュシャフト25を軸方向に回動自在にするモータ26が備えられている。
【００３２】
以上の構成について作用を述べると、吸い殻回収装置１の設置の際、複数台のパチンコ台２の下縁４における各パチンコ台２の灰皿27の設置箇所に対応した箇所には、上下に貫通孔28が形成されている。ここで使用される灰皿27は、底に孔29が形成されたものである（図４参照）。そして、吸い殻投入部８を加工前のレール本体10を、基台３の下縁４に平行になるようにし、レール本体10の平坦面７を下縁４の下側面30に当接させる。そのままの状態で、下縁４の貫通孔28に対応したレール本体10の平坦部７における吸い殻投入孔８の加工用の位置決めを行う。
【００３３】
その後、下縁４からレール本体10を離し、レール本体10の位置決めされた箇所に対し、吸い殻投入孔８を加工する。吸い殻投入孔８が形成されたレール本体10を下縁４の下側面30の前記貫通孔28と吸い殻投入孔８とが対応するように取付ける。
【００３４】
下縁４に取付けられたレール本体10の一端に吸い殻回収容器９を配し、他端にモータ26を配置し、吸い殻回収容器９とモータ26の間におけるレール本体10の下側には、スクリュシャフト25が配置され、スクリュシャフト25の一端をモータ26によりスクリュシャフト25が軸方向に回動自在になるよう接続し、搬送手段６の設置が完了する。
【００３５】
レール本体10に搬送手段６が設置された後、搬送手段６の配線31はまとめてレール本体10に形成された溝15に係止しておく（図４参照）。
【００３６】
次に、レールカバー11をレール本体10との間にスクリュシャフト25が内蔵されるように、レールカバー11の上端16を、レール本体10の段部19へと係止させ、内部に搬送手段６を備えた中空部材５が形成される。
【００３７】
中空部材５を形成するレール本体10とレールカバー11との係止箇所には、バンド20をレール本体10の一方の係止部14に鉤部21を係止させ、そのままの状態で、他方の係止部12に折り曲げ部22を係止し、バンド20の貫通孔23が形成された先端をレール本体10の傾斜部13に当接させる。
【００３８】
当接されたレール本体８の傾斜部13に、バンド20の先端に形成された貫通孔23から螺子32により固着され、中空部材５の係止箇所への連結部材たるバンド20が装着される。中空部材５にバンド20は、中空部材５の長手方向に一定の間隔を空け複数個装着される。これにより、レール本体10とレールカバー11は一体に固着される。その後、下縁４の貫通孔28に灰皿27を設置し、パチンコ台２の下縁４への吸い殻回収装置１の設置が完了することとなる。
【００３９】
次に吸い殻回収装置１の動作については、パチンコ台２の下縁４に設置された灰皿27に落とされた吸い殻Ｓは、灰皿27に形成された孔29を通り、その孔29に対応した中空部材５の吸い殻投入孔８から中空部材５の内部へと落される。
【００４０】
中空部材５の内部に落された吸い殻Ｓは、レール本体10の他端に設置されたモータ26を作動させることにより、中空部材５に内蔵されたスクリュシャフト25が回動し、スクリュシャフト25に形成された螺旋羽根24により、吸い殻回収容器９へと中空部材５内部を吸い殻回収容器９へと押し動かされていき、最終的に吸い殻回収容器９へと落される。
吸い殻回収容器９に落された吸い殻Ｓは、吸い殻回収容器９内で一定の容量が溜まった後、モータ26を停止させ、吸い殻回収容器９の吸い殻Ｓを処分する。
【００４１】
吸い殻回収装置１の整備・清掃については、吸い殻回収装置１の全ての動作を停止させた後、中空部材５のバンド20を全て取外した後、レールカバー11をレール本体10から取外す。その後、搬送手段６と吸い殻回収容器９もレール本体10から取外し、レール本体10、レールカバー11、搬送手段６、そして吸い殻回収容器９とを個別に整備・清掃できる状態に分解し、それぞれの整備・清掃が終了した後、前述の基台３の下縁４への設置の手順で、吸い殻回収装置１を組立て整備・清掃は終了する。
【００４２】
以上のように、前記実施例では請求項１に対応して、複数台のパチンコ台２の下縁４付近に沿って配置された中空部材５と、前記中空部材５内に配置され、前記中空部材５の一端側に配置された吸い殻回収容器９まで吸い殻Ｓを搬送する搬送手段６とを備えたパチンコ台の吸い殻回収装置１において、前記中空部材５は、上下方向に二分割に構成された上半部10と下半部11とを有し、前記上半部10の上部に平坦部７を形成し、前記平坦部７に吸い殻投入孔８を形成したことにより、中空部材５を上下に分割可能な構造にすることで、中空部材５の下縁４への設置を容易にし、吸い殻回収装置１の整備・清掃も容易にすることができる。
【００４３】
また、パチンコ台２の下縁４への中空部材５の設置の際に、吸い殻投入孔８の加工を上半部10の上面部分の平坦部７に施すことにより、下縁４に配された灰皿27に対応した吸い殻投入孔８の加工用位置決めを、中空部材５の一部である上半部10のみの操作・加工で済ますことができるため、加工作業を容易にし、効率的に中空部材５をパチンコ台２の下縁４に設置できる。
【００４４】
さらに、前記実施例では請求項２に対応して、前記上半部10は下方を開口し両側に半円状円弧部12が形成され、この半円状円弧部12の上部に上方に向けて幅大となる傾斜部13を突設すると共に、該傾斜部13の上部に前記平坦部７を水平に設け、前記下半部11は上方を開口した半円状に形成されたことにより、中空部材５の下縁４への取り付け側である上部の平坦部７と、内部でスクリュシャフト23を回動自在にする空間とを主とした必要最小限の形状にすることで、パチンコ台２の下縁４への設置スペースを抑えることができ、傾斜部13を有した断面形状にすることで、長手方向の撓みを防ぎ、パチンコ台２の下縁４への位置決め・設置を容易にすることができる。
【００４５】
また、前記実施例では請求項３に対応して、前記上半部10の下端17と前記下半部11の上端16は係止することにより、吸い殻回収装置１の設置の際、先にパチンコ台２の下縁４に取付けられた上半部10へ、下半部11を取付可能にし、設置作業を容易にすることができる。同様に、吸い殻回収装置１の整備・清掃の際の作業も容易にすることができる。
【００４６】
さらに、前記実施例では請求項４に対応して、前記傾斜部13の外側に、前記中空部材５の長手方向に沿って溝15を一体に設けたことにより、吸い殻回収装置１の配線31を溝15に収納でき、配線31のスペースを別途に設ける必要がなく、吸い殻回収装置１の設置スペースを抑えることができる。また、上半部10に配線31を収納することにより、吸い殻回収装置１の設置・整備・清掃時の下半部11の脱着時に下半部11への配線31の干渉を防ぎ、下半部11の脱着作業を容易にすることができる。
【００４７】
また、前記実施例では請求項５に対応して、前記溝15は、前記上半部10と離間して設けられる縦向き部16の下部に接続される横向き部17の先端を前記傾斜部13の外周に接続すると共に、内側に電気コード31を収容することにより、配線（電気コード）31の収納を行い易くすることができる。
【００４８】
さらに前記実施例では請求項６に対応して、前記縦向き部16は前記上半部10の最大幅箇所Ｍよりも内側に配置されたことにより、配線31の収納スペースの幅方向への増大を防ぎ、吸い殻回収装置１の設置スペースを抑えることができる。
【００４９】
また、前記実施例では請求項７に対応して、前記溝15は、断面形状をＬ型に形成ことにより、配線31を収納し易く、また離脱し難くすることができる。
【００５０】
さらに、前記実施例では請求項８に対応して、前記中空部材５は、軽金属材料から形成されることにより、中空部材５の軽量化が図られ、パチンコ台２の下縁４への設置作業を容易なものとすると共に、その後の下半部11の脱着作業も容易とすることができる。
【図面の簡単な説明】
【００５１】
【図１】本考案の実施例１における吸い殻回収装置の概要を示す正面図である。
【図２】本考案の実施例１における中空部材の分解斜視図である。
【図３】本考案の実施例１における中空部材の斜視図である。
【図４】本考案の実施例１における中空部材の断面図である。
【符号の説明】
【００５２】
１  吸い殻回収装置
２  パチンコ台
４  下縁
５  中空部材
６  搬送手段
７  平坦部
８  吸い殻投入孔
９  吸い殻回収容器
10  レール本体（上半部）
11  レールカバー（下半部）
12  半円状円弧部
13  傾斜部
15  溝
16  縦向き部（溝）
17  横向き部（溝）
18  上端（下半部側）
19  段部（上半部側）
31  配線（電気コード）
Ｍ  最大幅箇所（上半部）
【図１】
0003116471.tif 000003
【図２】
0003116471.tif 000004
【図３】
0003116471.tif 000005
【図４】
0003116471.tif 000006